(57)【特許請求の範囲】
【請求項１】
電源から負荷への給電をオンオフするスイッチ機構部と、該スイッチ機構部と電源との間に１次巻線が介装される電流トランスを有するトランスブロックと、電流トランスの２次巻線の両端部間に接続され、電源から負荷への給電がオンのときに発光する発光素子を少なくとも含む電子部品を有する照光ブロックとを備え、トランスブロックは、電流トランスの２次巻線の端部が電気的に接続された接続部を有し、照光ブロックは、トランスブロックの接続部が差し込み接続される被接続部を備え、
照光ブロックは、電子部品実装用のリード端子と、該リード端子がインサートされる合成樹脂製の成形基体とを備え、被接続部は、リード端子を曲成してなるばね片と、該ばね片に対向するように成形基体に一体に突設されてばね片とともにトランスブロックの接続部を狭持するリブとで構成されていて、
照光ブロックは、固定接点及び可動接点を有し、可動接点を固定接点に接離させるスイッチ機構部、固定接点に電気的に接続される固定側端子板、及び可動接点に電気的に接続される可動側端子板を備える片切型のスイッチ装置の前記固定側端子板に接続される第１の接続端子と、前記可動側端子板に接続される第２の接続端子と、前記第１の接続端子と前記第２の接続端子との間に接続され電源から負荷への給電がオフである際に発光する表示灯とを備え、前記第１の接続端子は、第１の固定接点及び第２の固定接点並びに可動接点を有し、可動接点を第１の固定接点及び第２の固定接点の一方に選択的に接触させるスイッチ機構部、第１の固定接点に電気的に接続される第１の端子板、第２の固定接点に電気的に接続される第２の端子板、及び可動接点に電気的に接続される第３の端子板を備える３路型のスイッチ装置の前記第１の端子板に接続可能に構成され、前記第２の接続端子は、所定部位で切断されることによって前記第２の端子板に接続可能に構成されていることを特徴とするスイッチ装置。
【請求項２】
電源から負荷への給電をオンオフするスイッチ機構部と、該スイッチ機構部と電源との間に１次巻線が介装される電流トランスを有するトランスブロックと、電流トランスの２次巻線の両端部間に接続され、電源から負荷への給電がオンのときに発光する発光素子を少なくとも含む電子部品を有する照光ブロックとを備え、トランスブロックは、電流トランスの２次巻線の端部が電気的に接続された接続部を有し、照光ブロックは、トランスブロックの接続部が差し込み接続される被接続部を備え、
照光ブロックは、電子部品実装用のリード端子と、該リード端子がインサートされる合成樹脂製の成形基体とを備え、被接続部は、リード端子を曲成してなる第１のばね片と、該第１のばね片に対向するようにリード端子を曲成してなり、第１のばね片とともにトランスブロックの接続部を狭持する第２のばね片とで構成されていて、
照光ブロックは、固定接点及び可動接点を有し、可動接点を固定接点に接離させるスイッチ機構部、固定接点に電気的に接続される固定側端子板、及び可動接点に電気的に接続される可動側端子板を備える片切型のスイッチ装置の前記固定側端子板に接続される第１の接続端子と、前記可動側端子板に接続される第２の接続端子と、前記第１の接続端子と前記第２の接続端子との間に接続され電源から負荷への給電がオフである際に発光する表示灯とを備え、前記第１の接続端子は、第１の固定接点及び第２の固定接点並びに可動接点を有し、可動接点を第１の固定接点及び第２の固定接点の一方に選択的に接触させるスイッチ機構部、第１の固定接点に電気的に接続される第１の端子板、第２の固定接点に電気的に接続される第２の端子板、及び可動接点に電気的に接続される第３の端子板を備える３路型のスイッチ装置の前記第１の端子板に接続可能に構成され、前記第２の接続端子は、所定部位で切断されることによって前記第２の端子板に接続可能に構成されていることを特徴とするスイッチ装置。
【請求項３】
電源から負荷への給電をオンオフするスイッチ機構部と、該スイッチ機構部と電源との間に１次巻線が介装される電流トランスを有するトランスブロックと、電流トランスの２次巻線の両端部間に接続され、電源から負荷への給電がオンのときに発光する発光素子を少なくとも含む電子部品を有する照光ブロックとを備え、トランスブロックは、電流トランスの２次巻線の端部が電気的に接続された接続部を有し、照光ブロックは、トランスブロックの接続部が差し込み接続される被接続部を備え、
照光ブロックは、電子部品実装用のリード端子と、該リード端子がインサートされる合成樹脂製の成形基体とを備え、被接続部は、リード端子を曲成してなる第１のばね片と、該第１のばね片の先端側に対向するように成形基体に一体に突設されて第１のばね片とともにトランスブロックの接続部を狭持するリブと、第１のばね片の基端側に対向するようにリード端子を曲成してなり、第１のばね片とともにトランスブロックの接続部を狭持する第２のばね片とで構成されていて、
照光ブロックは、固定接点及び可動接点を有し、可動接点を固定接点に接離させるスイッチ機構部、固定接点に電気的に接続される固定側端子板、及び可動接点に電気的に接続される可動側端子板を備える片切型のスイッチ装置の前記固定側端子板に接続される第１の接続端子と、前記可動側端子板に接続される第２の接続端子と、前記第１の接続端子と前記第２の接続端子との間に接続され電源から負荷への給電がオフである際に発光する表示灯とを備え、前記第１の接続端子は、第１の固定接点及び第２の固定接点並びに可動接点を有し、可動接点を第１の固定接点及び第２の固定接点の一方に選択的に接触させるスイッチ機構部、第１の固定接点に電気的に接続される第１の端子板、第２の固定接点に電気的に接続される第２の端子板、及び可動接点に電気的に接続される第３の端子板を備える３路型のスイッチ装置の前記第１の端子板に接続可能に構成され、前記第２の接続端子は、所定部位で切断されることによって前記第２の端子板に接続可能に構成されていることを特徴とするスイッチ装置。
【請求項４】
前記第２の接続端子は、照光ブロックの一端部側に設けられており、電子部品は、照光ブロックの他端部側に設けられていることを特徴とする請求項１〜３のいずれか１項に記載のスイッチ装置。
【発明の詳細な説明】
【技術分野】
【０００１】
本発明は、スイッチ装置、特に電源から負荷への給電をオンオフするスイッチ機構部を有し、電源から負荷に給電されているときに発光する発光素子を有するスイッチ装置に関するものである。
【背景技術】
【０００２】
従来から、図１６（ａ）に示すようなスイッチ装置１００が提供されている。このスイッチ装置１００は、接点構成が単極単投であるような所謂片切型のスイッチ装置であって、固定接点１１０及び可動接点（図示せず）を有し可動接点を固定接点１１０に接離させることで商用電源等の電源（図示せず）から照明負荷（白熱灯や蛍光灯）等の負荷（図示せず）への給電をオンオフするスイッチ機構部（図示せず）と、可動接点に電気的に接続されるとともに電源の電源線（図示せず）が接続される電源用端子板１２０と、固定接点１１０に電気的に接続されるとともに負荷の電源線が接続される負荷用端子板１３０とを備えている。
【０００３】
さらに、スイッチ装置１００は、可動接点と電源用端子板１２０との間に１次巻線１４１が介装される電流トランス（図示せず）、及び電流トランスの２次巻線（図示せず）の両端部にそれぞれ電気的に接続された一対のコイル接続部１４２，１４２を有するトランスブロック１４０と、一対のコイル接続部１４２，１４２間に接続され、電源から負荷への給電がオンのときに発光する発光ダイオード１５１、及び電源用端子板１２０と負荷用端子板１３０との間に接続され、電源から負荷への給電がオフのときに発光するネオンランプ１５２を有する照光ブロック１５０とを備えている。さらに、スイッチ装置１００は、以上述べたスイッチ機構部と、電源用端子板１２０と、負荷用端子板１３０と、トランスブロック１４０と、照光ブロック１５０とを収納するボディ１６０を備えている。
【０００４】
ここで、照光ブロック１５０は、発光ダイオード１５１用の導電パターン１５３ａ及びネオンランプ１５２用の導電パターン１５３ｂが形成されたプリント基板１５３に、発光ダイオード１５１及びネオンランプ１５２を含む電子部品を実装することで構成されている。さらに、照光ブロック１５０には、導電パターン１５３ａにトランスブロック１４０の一対のコイル接続部１４２，１４２を半田付けするための一対のスルーホール１５３ｃ，１５３ｃと、ネオンランプ１５２を負荷用端子板１３０に接続するための負荷用接続端子１５４と、電源用端子板１２０の突片１２１をネオンランプ１５２用の導電パターン１５３ｂに接続するためのスルーホール１５５とが設けられている。
【０００５】
そして、このような照光ブロック１５０は、図１６（ｂ）に示すように、負荷用接続端子１５４を負荷用端子板１３０に接触接続するとともに、スルーホール１５５を介して電源用端子板１２０の突片１２１をネオンランプ１５２用の導電パターン１５３ｂに半田付けし、さらにプリント基板１５３の一対のスルーホール１５３ｃ，１５３ｃを介してトランスブロック１４０の一対のコイル接続部１４２，１４２を発光ダイオード１５１用の導電パターン１５３ａに半田付けした状態で、ボディ１６０に収納されている。
【０００６】
一方、従来から、図１７に示すようなスイッチ装置２００も提供されている（例えば、特許文献１）。
【０００７】
このスイッチ装置２００は、接点構成が単極切換えであるような所謂３路型のスイッチ装置であって、第１の固定接点２１０、及び第２の固定接点（図示せず）、並びに各固定接点に接離する可動接点（図示せず）を有し、可動接点を第１の固定接点１１０及び第２の固定接点に選択的に接離させることで電源（図示せず）から負荷（図示せず）への給電をオンオフするスイッチ機構部（図示せず）と、可動接点に電気的に接続される第１の端子板２２０と、第１の固定接点２１０に電気的に接続される第２の端子板２３０と、第２の固定接点に電気的に接続される第３の端子板２４０とを備えている。
【０００８】
さらに、スイッチ装置２００は、可動接点と第１の端子板２２０との間に１次巻線２５１が介装される電流トランス（図示せず）、及び電流トランスの２次巻線（図示せず）の両端部にそれぞれ電気的に接続された一対のコイル接続部２５２，２５２を有するトランスブロック２５０と、一対のコイル接続部２５２，２５２間に接続され、電源から負荷への給電がオンのときに発光する発光ダイオード２６１、及び第２の端子板２３０と第３の端子板２４０との間に接続され、電源から負荷への給電がオフのときに発光するネオンランプ２６２を有する照光ブロック２６０とを備えている。さらに、スイッチ装置２００は、以上述べたスイッチ機構部と、第１〜第３の端子板２２０〜２４０と、トランスブロック２５０と、照光ブロック２６０とを収納するボディ２７０を備えている。
【０００９】
ここで、照光ブロック２６０は、発光ダイオード２６１用の導電パターン２６３ａ及びネオンランプ２６２用の導電パターン２６３ｂが形成されたプリント基板２６３に、発光ダイオード２６１及びネオンランプ２６２を含む電子部品を実装することで構成されている。さらに、照光ブロック２６０には、導電パターン２６３ａにトランスブロック２５０の一対のコイル接続部２５２，２５２を半田付けするための一対のスルーホール２６３ｃ，２６３ｃと、ネオンランプ２６２を第２の端子板２３０に接続するための第１の接続端子２６４と、ネオンランプ２６２を第３の端子板２４０に接続するための第２の接続端子２６５とが設けられている。
【００１０】
そして、このような照光ブロック２６０は、各接続端子２６４，２６５を各端子板２３０，２４０にそれぞれ接触接続するとともに、プリント基板２６３の一対のスルーホール２６３ｃ，２６３ｃを介してトランスブロック２５０の一対のコイル接続部２５２，２５２を発光ダイオード２６１用の導電パターン２６３ａに半田付けした状態で、ボディ２７０に収納されている。
【特許文献１】特開２００１−１８４９９１号公報（図２及び図３参照）
【発明の開示】
【発明が解決しようとする課題】
【００１１】
ところで、図１６（ａ），（ｂ）及び図１７に示す従来のスイッチ装置１００，２００では、照光ブロック１５０，２６０をトランスブロック１４０，２５０に接続する際に半田付け作業を行っており、このような半田付け作業は非常に時間と手間がかかるものであるために、スイッチ装置の組立を容易に行うことができないという問題が生じていた。
【００１２】
また、半田付け作業を行った際には、スイッチ機構部に半田ボールが入り込んでスイッチとして正常に働かなくなってしまったり、半田付けに用いるフラックスが飛散したり、半田付け不良が生じたり、半田付け時の熱によって照光ブロックが焦げや、導電パターンの剥離、部材の変形が生じたり、半田によって回路が短絡されてしまう等の種々の悪影響が生じるおそれがあった。
【００１３】
本発明は上述の点に鑑みて為されたもので、その目的は、組立を容易に行えるとともに、半田付けによる悪影響を防止できるスイッチ装置を提供することにある。
【課題を解決するための手段】
【００１４】
上述の課題を解決するために、請求項１のスイッチ装置の発明では、電源から負荷への給電をオンオフするスイッチ機構部と、該スイッチ機構部と電源との間に１次巻線が介装される電流トランスを有するトランスブロックと、電流トランスの２次巻線の両端部間に接続され、電源から負荷への給電がオンのときに発光する発光素子を少なくとも含む電子部品を有する照光ブロックとを備え、トランスブロックは、電流トランスの２次巻線の端部が電気的に接続された接続部を有し、照光ブロックは、トランスブロックの接続部が差し込み接続される被接続部を備え、照光ブロックは、電子部品実装用のリード端子と、該リード端子がインサートされる合成樹脂製の成形基体とを備え、被接続部は、リード端子を曲成してなるばね片と、該ばね片に対向するように成形基体に一体に突設されてばね片とともにトランスブロックの接続部を狭持するリブとで構成されていて、照光ブロックは、固定接点及び可動接点を有し、可動接点を固定接点に接離させるスイッチ機構部、固定接点に電気的に接続される固定側端子板、及び可動接点に電気的に接続される可動側端子板を備える片切型のスイッチ装置の前記固定側端子板に接続される第１の接続端子と、前記可動側端子板に接続される第２の接続端子と、前記第１の接続端子と前記第２の接続端子との間に接続され電源から負荷への給電がオフである際に発光する表示灯とを備え、前記第１の接続端子は、第１の固定接点及び第２の固定接点並びに可動接点を有し、可動接点を第１の固定接点及び第２の固定接点の一方に選択的に接触させるスイッチ機構部、第１の固定接点に電気的に接続される第１の端子板、第２の固定接点に電気的に接続される第２の端子板、及び可動接点に電気的に接続される第３の端子板を備える３路型のスイッチ装置の前記第１の端子板に接続可能に構成され、前記第２の接続端子は、所定部位で切断されることによって前記第２の端子板に接続可能に構成されていることを特徴とする。
【００１５】
請求項２のスイッチ装置の発明では、電源から負荷への給電をオンオフするスイッチ機構部と、該スイッチ機構部と電源との間に１次巻線が介装される電流トランスを有するトランスブロックと、電流トランスの２次巻線の両端部間に接続され、電源から負荷への給電がオンのときに発光する発光素子を少なくとも含む電子部品を有する照光ブロックとを備え、トランスブロックは、電流トランスの２次巻線の端部が電気的に接続された接続部を有し、照光ブロックは、トランスブロックの接続部が差し込み接続される被接続部を備え、照光ブロックは、電子部品実装用のリード端子と、該リード端子がインサートされる合成樹脂製の成形基体とを備え、被接続部は、リード端子を曲成してなる第１のばね片と、該第１のばね片に対向するようにリード端子を曲成してなり、第１のばね片とともにトランスブロックの接続部を狭持する第２のばね片とで構成されていて、照光ブロックは、固定接点及び可動接点を有し、可動接点を固定接点に接離させるスイッチ機構部、固定接点に電気的に接続される固定側端子板、及び可動接点に電気的に接続される可動側端子板を備える片切型のスイッチ装置の前記固定側端子板に接続される第１の接続端子と、前記可動側端子板に接続される第２の接続端子と、前記第１の接続端子と前記第２の接続端子との間に接続され電源から負荷への給電がオフである際に発光する表示灯とを備え、前記第１の接続端子は、第１の固定接点及び第２の固定接点並びに可動接点を有し、可動接点を第１の固定接点及び第２の固定接点の一方に選択的に接触させるスイッチ機構部、第１の固定接点に電気的に接続される第１の端子板、第２の固定接点に電気的に接続される第２の端子板、及び可動接点に電気的に接続される第３の端子板を備える３路型のスイッチ装置の前記第１の端子板に接続可能に構成され、前記第２の接続端子は、所定部位で切断されることによって前記第２の端子板に接続可能に構成されていることを特徴とする。
【００１６】
請求項３のスイッチ装置の発明では、電源から負荷への給電をオンオフするスイッチ機構部と、該スイッチ機構部と電源との間に１次巻線が介装される電流トランスを有するトランスブロックと、電流トランスの２次巻線の両端部間に接続され、電源から負荷への給電がオンのときに発光する発光素子を少なくとも含む電子部品を有する照光ブロックとを備え、トランスブロックは、電流トランスの２次巻線の端部が電気的に接続された接続部を有し、照光ブロックは、トランスブロックの接続部が差し込み接続される被接続部を備え、照光ブロックは、電子部品実装用のリード端子と、該リード端子がインサートされる合成樹脂製の成形基体とを備え、被接続部は、リード端子を曲成してなる第１のばね片と、該第１のばね片の先端側に対向するように成形基体に一体に突設されて第１のばね片とともにトランスブロックの接続部を狭持するリブと、第１のばね片の基端側に対向するようにリード端子を曲成してなり、第１のばね片とともにトランスブロックの接続部を狭持する第２のばね片とで構成されていて、照光ブロックは、固定接点及び可動接点を有し、可動接点を固定接点に接離させるスイッチ機構部、固定接点に電気的に接続される固定側端子板、及び可動接点に電気的に接続される可動側端子板を備える片切型のスイッチ装置の前記固定側端子板に接続される第１の接続端子と、前記可動側端子板に接続される第２の接続端子と、前記第１の接続端子と前記第２の接続端子との間に接続され電源から負荷への給電がオフである際に発光する表示灯とを備え、前記第１の接続端子は、第１の固定接点及び第２の固定接点並びに可動接点を有し、可動接点を第１の固定接点及び第２の固定接点の一方に選択的に接触させるスイッチ機構部、第１の固定接点に電気的に接続される第１の端子板、第２の固定接点に電気的に接続される第２の端子板、及び可動接点に電気的に接続される第３の端子板を備える３路型のスイッチ装置の前記第１の端子板に接続可能に構成され、前記第２の接続端子は、所定部位で切断されることによって前記第２の端子板に接続可能に構成されていることを特徴とする。
【００１９】
請求項４のスイッチ装置の発明では、請求項１〜３のいずれか１項の構成に加えて、前記第２の接続端子は、照光ブロックの一端部側に設けられており、電子部品は、照光ブロックの他端部側に設けられていることを特徴とする。
【発明の効果】
【００２０】
請求項１のスイッチ装置の発明は、電流トランスの２次巻線と照光ブロックとの接続を、トランスブロックの接続部を照光ブロックの被接続部に差し込み接続するだけの簡単な作業で行うことができるので、組立を容易に行えるという効果を奏し、また従来のように電流トランスの２次巻線と照光ブロックとを接続する際に半田付けを行う必要がないことから、半田付けによる悪影響を防止でき、しかも組立にかかる時間の短縮を図ることができるという効果を奏する。さらに、被接続部が、リード板を曲成してなるばね片と、合成樹脂製のリブとで構成されているから、被接続部の作成が行い易くなるという効果を奏し、また、金属製であるばね片とは異なり、合成樹脂製のリブは、接続部の差し込み時に変形することがないから、被接続部の変形を抑制することができるという効果を奏する。さらに、照光ブロックを片切型のスイッチ装置と３路型のスイッチ装置とで共用することが可能となり、これにより照光ブロックの初期投資費用（金型投資金額等）を抑えることができるとともに、製造コストを低減できるという効果を奏する。
【００２２】
請求項２のスイッチ装置の発明は、電流トランスの２次巻線と照光ブロックとの接続を、トランスブロックの接続部を照光ブロックの被接続部に差し込み接続するだけの簡単な作業で行うことができるので、組立を容易に行えるという効果を奏し、また従来のように電流トランスの２次巻線と照光ブロックとを接続する際に半田付けを行う必要がないことから、半田付けによる悪影響を防止でき、しかも組立にかかる時間の短縮を図ることができるという効果を奏する。また、ともに金属製である第１及び第２のばね片によって被接続部が構成されており、被接続部の一部として合成樹脂製のものを用いていないから、被接続部にクリープや、熱による変形が生じることがなく、これにより被接続部の耐熱性を向上できるという効果を奏し、加えて、被接続部の接触信頼性を向上できるという効果を奏する。さらに、照光ブロックを片切型のスイッチ装置と３路型のスイッチ装置とで共用することが可能となり、これにより照光ブロックの初期投資費用（金型投資金額等）を抑えることができるとともに、製造コストを低減できるという効果を奏する。
【００２３】
請求項３のスイッチ装置の発明は、電流トランスの２次巻線と照光ブロックとの接続を、トランスブロックの接続部を照光ブロックの被接続部に差し込み接続するだけの簡単な作業で行うことができるので、組立を容易に行えるという効果を奏し、また従来のように電流トランスの２次巻線と照光ブロックとを接続する際に半田付けを行う必要がないことから、半田付けによる悪影響を防止でき、しかも組立にかかる時間の短縮を図ることができるという効果を奏する。また、被接続部が、リード端子を曲成してなる第１のばね片と、第１のばね片の先端側と対向する合成樹脂製のリブと、第１のばね片の基端側に対向するようにリード端子を曲成してなる第２のばね片とで構成されているから、被接続部の先端側では、被接続部の作成が行い易くなるという効果を奏し、また、金属製であるばね片とは異なり、合成樹脂製のリブは、接続部の差し込み時に変形することがないから、被接続部の変形を抑制することができるという効果を奏する。一方、被接続部の基端側では、合成樹脂製のリブを用いていないから、被接続部にクリープや、熱による変形が生じることがなく、これにより被接続部の耐熱性を向上できるという効果を奏し、加えて、被接続部の接触信頼性を向上できるという効果を奏する。さらに、照光ブロックを片切型のスイッチ装置と３路型のスイッチ装置とで共用することが可能となり、これにより照光ブロックの初期投資費用（金型投資金額等）を抑えることができるとともに、製造コストを低減できるという効果を奏する。
【００２５】
請求項４のスイッチ装置の発明は、第２の接続端子を分断するためのスペースを照光ブロックに設ける必要がなくなるので、照光ブロックのコンパクト化を図ることができるという効果を奏する。
【発明を実施するための最良の形態】
【００２６】
以下に、本発明のスイッチ装置の実施形態について図１〜図１５を参照して説明する。尚、以下の説明では、図３における上方をスイッチ装置の前方、図３における下方をスイッチ装置の後方と規定する。
【００２７】
（実施形態１）
本実施形態のスイッチ装置１は、図２に示す回路構成を有する（単極単投の接点構成を有する）片切型のスイッチ装置であって、図１〜図８に示すように、商用電源等の電源ＡＣから照明（白熱灯や蛍光灯）等の負荷Ｌへの給電をオンオフするスイッチ機構部ＳＷ１を有するスイッチブロック２と、電源ＡＣ及び負荷Ｌがそれぞれ接続される端子部Ｔ１，Ｔ２を有する端子ブロック３と、該スイッチ機構部ＳＷ１と電源ＡＣが接続される端子部Ｔ１との間に１次巻線Ｎ１が介装された電流トランス（カレントトランス）ＣＴを有するトランスブロック４と、電流トランスＣＴの２次巻線Ｎ２の両端部間に接続され、電源ＡＣから負荷Ｌへの給電がオンのときに発光する発光ダイオードＬＥＤを有する照光ブロック５と、スイッチブロック２と端子ブロック３とトランスブロック４と照光ブロック５とが収納される器体６とを備えている。
【００２８】
まず、器体６について説明する。器体６は、図３に示すように、ともに合成樹脂成形品からなるボディ６０とカバー６１とで構成されており、その外形寸法は、例えば、ＪＩＳ規格で規格化されている大角形連用（ＪＩＳＣ８３０４参照）の埋め込み配線器具の１連用の取付枠（図示せず）の開口窓の長手方向の１／３を占める寸法（言い換えれば、開口窓の長手方向に３個並べて取付枠に取付可能な寸法）に形成されている。
【００２９】
ボディ６０は、図３に示すように、前面が開口した矩形箱状に形成されており、その底壁部における長手方向中央部には、トランスブロック４収納用の凹所（図示せず）が設けられている。また、上記底壁部における長手方向一端側（図３における右下側）には、電源ＡＣ用の電源線を器体６内に挿入するための電源用挿入孔（図示せず）と、送り配線用の電源線を器体６内に挿入するための送り用挿入孔（図示せず）とが、ボディ６０の短手方向に並設されている。
【００３０】
加えて、ボディ６０の短手方向一端側（図３における左下側）の内側面には、後述する開閉子２３の軸部２３ｂを揺動自在に支持するための軸受け部（図示せず）が設けられている。さらに、ボディ６０の底壁部における長手方向他端側（図３における左上側）には、負荷Ｌ用の電源線を器体６内に挿入するための負荷用挿入孔（図示せず）が設けられるとともに、各挿入孔の近傍には、マイナスドライバ等の治具を挿入するための治具挿入孔（図示せず）が貫設されている。一方、ボディ６０の短手方向両側面における長手方向両端側には、カバー６１をボディ６０に取り付けるために用いられる係止爪６０ａがそれぞれ設けられている。
【００３１】
カバー６１は、ボディ６０の前面開口を覆うようにしてボディ６０に被着されるものであり、後面が開口した矩形箱状に形成されている。このカバー６１の前面側における長手方向一端側（図３における右下側）には、後述する押釦ハンドル６２を前後方向に移動自在に収納するための略矩形状の凹部６１ａが設けられており、この凹部６１ａの底部には、後述する反転ハンドル２４をカバー６１から外部に臨ませるための孔部６１ｂが貫設されている。
【００３２】
また、凹部６１ａにおける長手方向両端側の内側面には、押釦ハンドル６２を前後方向に移動自在に取り付けるための取付溝部６１ｃが設けられている。この取付溝部６１ｃは、前端部が開放されておらず、これにより押釦ハンドル６２がカバー６１から外れてしまうことを防止している。さらに、上記孔部６１ｂにおける短手方向の両内側面には、反転ハンドル２４を揺動自在に支持するための軸受け部６１ｄがそれぞれ設けられている。
【００３３】
一方、カバー６１の前面側における長手方向他端側（図３における左上側）には、照光ブロック５の発光ダイオードＬＥＤとネオンランプＮＥの光を器体６から外方に出射するための開口窓６１ｅが貫設されており、この開口窓６１ｅには、透光性を有するランプカバー６３が取り付けられ、これにより発光ダイオードＬＥＤ及びネオンランプＮＥの点灯／消灯の状態はランプカバー６３を通して視認することができるようになっている。
【００３４】
さらに、カバー６１の前面側における長手方向他端側には、押釦ハンドル６２を操作するためのピアノハンドル（図示せず）を揺動自在に取り付けるための軸部６１ｆが突設されている。加えて、カバー６１の短手方向両側面の後端部には、その長手方向両端側にそれぞれ矩形状の係止片６１ｇが突設されており、各係止片６１ｇの中央部には、ボディ６０の係止爪６０ａと嵌合する係止孔６１ｈが設けられている。尚、カバー６１の長手方向両側面には、上記の取付枠（図示せず）に取り付けるための一対の取付爪６１ｉ，６１ｉがそれぞれ設けられている。
【００３５】
ここで、押釦ハンドル６２は、合成樹脂成形品であって、カバー６１の凹部６１ａと略同寸法の矩形板状に形成されている。そして、押釦ハンドル６２の長手方向両側部には、カバー６１の取付溝部６１ｃに対応する取付爪部６２ａが突設されており、この取付爪部６２ａを取付溝部６１ｃに嵌入することによって、押釦ハンドル６２はカバー６１の凹部６１ａ内に前後方向に移動自在に取り付けられることになる。
【００３６】
この押釦ハンドル６２をカバー６１に取り付ける際には、復帰ばね６４と、スライドカム（図示せず）とが、押釦ハンドル６２とカバー６１との間に介在される。復帰ばね６４は、押釦ハンドル６２を前方に付勢するためのものであって、板ばね等が用いられる。スライドカムは、押釦ハンドル６２の押操作に応じて、反転ハンドル２４を揺動させるものであって、押釦ハンドル６２を１回押操作する毎に、反転ハンドル２４の向き（つまりは、スイッチ機構部ＳＷ１のオンオフ）が切り替わるように構成されている。尚、このようなスライドカムの構成については、従来周知のものであるから説明を省略する。
【００３７】
器体６には、図３に示すように、中枠２０と、支持板２１と、スイッチ機構部ＳＷ１を構成する固定接点２２及び可動接点（図示せず）と、開閉子２３と、反転ハンドル２４と、反転ばね２５とを有するスイッチブロック２が収納されるとともに、電源用端子板３０と、負荷用端子板３１と、３個の鎖錠ばね３２と、２個の解除釦３３とを有する端子ブロック３が収納される。さらに、基体６には、トランスブロック４と、照光ブロック５とが収納される。
【００３８】
まず、トランスブロック４について説明する。トランスブロック４は、図４に示すように、電流トランスＣＴと、電流トランスＣＴが収納されるケース４０と、電流トランスＣＴの２次巻線Ｎ２の両端部がそれぞれ電気的に接続された一対の接続部４１，４１とを備えている。電流トランスＣＴは、１次巻線Ｎ１と、２次巻線Ｎ２と、両巻線Ｎ１，Ｎ２が巻装されるコアＦＣとを備えている。尚、図４では、１次巻線Ｎ１については両端部Ｎ１ａ，Ｎ１ｂのみを図示し、２次巻線Ｎ２については図示を省略している。
上記のケース４０は、前面が開口した箱状に形成され、その内部が電流トランスＣＴの収納部として用いられる。また、ケース４０の前端面における四隅部のうちの３箇所には、中枠２０を取り付けるための嵌合凹部４０ａがそれぞれ設けられている。
接続部４１は、銅板等の導電性を有する金属板を用いて長尺状に形成され、その基端部には、電流トランスＣＴの２次巻線Ｎ２の端部が絡げられる絡げ部４１ｂが設けられており、その先端部４１ａが照光ブロック５との電気的接続に用いられる。このように形成された一対の接続部４１，４１は、各々の先端部４１ａ及び絡げ部４１ｂをケース４０から露出させるとともに、先端部４１ａを前方に向けて並行配置された状態で、ケース４０にインサートされている。また、ケース４０にインサートされた一対の接続部４１，４１は、先端部４１ａ，４１ａを揃えるために、その中腹部が合成樹脂製の補強部４２で覆われている。
【００３９】
以上述べたケース４０には、電流トランスＣＴが、１次巻線Ｎ１の一方の端部Ｎ１ａを前方に、他方の端部Ｎ１ｂを側方にそれぞれ導出されるとともに、２次巻線Ｎ２の両端部を一対の接続部４１の絡げ部４１ｂにそれぞれ絡げられた状態で収納され、これによりトランスブロック４が完成する。
【００４０】
中枠２０は、合成樹脂成形品であって、上記ケース４０の前面開口を閉塞できる程度の大きさに形成された略矩形状の台部２０ａを備えており、この台部２０ａの前面には、電源用端子板３０及び負荷用端子板３１をそれぞれ支持する支持部２０ｂ，２０ｃと、後述する開閉子２３の軸部２３ｃを揺動自在に支持するための軸受け部（図示せず）及び開閉子２３の揺動範囲を規制する規制溝部（図示せず）を有するリブ２０ｄとが突設されている。また台部２０ａには、電流トランスＣＴの１次巻線Ｎ１の一方の端部Ｎ１ａが前後方向に挿通される挿通孔２０ｅが設けられている。さらに、台部２０ａの後面には、トランスブロック４のケース４０に設けられた各嵌合凹部４０ａとそれぞれ凹凸嵌合する嵌合突部（図示せず）が突設されている。
【００４１】
支持板２１は、銅板等の導電性を有する金属板から曲成され、開閉子２３の後端縁が接触されるとともに、開閉子２３を揺動自在に支持する平板部２１ａと、電流トランスＣＴの１次巻線Ｎ１の他方の端部Ｎ１ｂが電気的に接続されるコイル接続部２１ｂとを一体に備えている。
【００４２】
固定接点２２は、後述する負荷用端子板３１に設けられている。
【００４３】
開閉子２３は、銅板等の導電性を有する金属板からなり、その一面側に固定接点２２と接離する可動接点が固着されている。また、開閉子２３の先端部（前端部）には、反転ばね２５の後端縁と係合される係合突起２３ａが設けられており、開閉子２３の基端部（後端部）における幅方向の一側部（図３における左下側の側部）には、ボディ６０の上記軸受け部に揺動自在に支持される軸部２３ｂが突設されている。さらに、開閉子２３の幅方向の他側部（図３における右上側の側部）には、中枠２０の上記軸受け部に揺動自在に支持される軸部２３ｃが上記軸部２３ｂと同軸となるように突設されるとともに、中枠２０の上記規制溝部に挿入されて開閉子２３の揺動範囲を規制する規制突起２３ｄが突設されている。
【００４４】
反転ハンドル２４は、開閉子２３を操作するためのものであって、合成樹脂を用いて略矩形状に形成されており、その後面側には、反転ばね２５の前端側が嵌入される保持孔部（図示せず）が設けられている。また、反転ハンドル２４の短手方向の両側面には、カバー６１の一対の軸受け部６１ｄに個別に支持される軸部２４ａがそれぞれ突設されており、これにより反転ハンドル２４をカバー６１に揺動自在に取り付けることができるようになっている。さらに、反転ハンドル２４の前端部における長手方向両端部には、上記のスライドカムと係合する係合突起２４ｂがそれぞれ突設されており、これにより押釦ハンドル６２の押操作に応じて反転ハンドル２４が揺動するようになっている。
【００４５】
反転ばね２５は、例えばコイルスプリングであって、反転ハンドル２４と開閉子２３とを連結するために用いられる。そして、この反転ばね２５は、反転ハンドル２４の揺動中心において最も圧縮された状態となるように、反転ハンドル２４と開閉子２３との間に介在されている。
【００４６】
電源用端子板３０は、図３に示すように、銅板等の導電性を有する金属板から曲成されて、長手方向（器体６の短手方向）一端側に形成されて、ボディ６０の電源用挿入孔から挿入された電源線が接触接続される電源用端子部３０ａと、長手方向他端側に形成されて、ボディ６０の送り用挿入孔から挿入された電源線が接触接続される送り用端子部３０ｂと、長手方向中央部に形成されて、上記電流トランスＣＴの１次巻線Ｎ１における一方の端部Ｎ１ａが接続されるコイル接続部３０ｄとを一体に備えている。
【００４７】
ここで、電源用端子部３０ａは、鎖錠ばね３２と、解除釦３３とともに、電源用挿入孔から挿入された電線線を鎖錠する速結端子からなる端子部Ｔ１を構成するものであり、鎖錠ばね３２を狭持するように延設された一対の押さえ片３０ｃ，３０ｃを有している。一方、送り用端子部３０ｂは、鎖錠ばね３２と、解除釦３３とともに、送り用挿入孔から挿入された電線線を鎖錠する速結端子からなる端子部Ｔ３を構成するものであり、上記電源用端子部３０ａと同様に一対の押さえ片３０ｃ，３０ｃを有している。
【００４８】
負荷用端子板３１は、図３に示すように、上記電源用端子板３０と同様に銅板等の導電性を有する金属板から曲成されており、ボディ６０の負荷用挿入孔から挿入された電源線が接触接続される負荷用端子部３１ａと、固定接点２２が設けられた接点板３１ｂとを一体に備えている。ここで、負荷用端子部３１ａは、鎖錠ばね３２と、解除釦３３とともに、負荷用挿入孔から挿入された電線線を鎖錠する速結端子からなる端子部Ｔ２を構成するものであり、鎖錠ばね３２を狭持するように延設された一対の押さえ片３１ｃ，３１ｃを有している。
【００４９】
鎖錠ばね３２は、図３に示すように、略ム字状に形成された板ばねであって、電源用端子部３０ａの押さえ片３０ｃ、又は送り用端子部３０ｂの押さえ片３０ｃ、或いは負荷用端子部３１ａの押さえ片３１ｃとの間で電源線を狭持するとともに、電源線に食い込んでこれらの抜けを防止するための鎖錠片３２ａを有している。
【００５０】
前述の解除釦３３は、合成樹脂成形品であって、ボディ６０の治具挿入孔からボディ６０の外部に臨む操作部３３ａと、両側に鎖錠ばね３２の鎖錠片３２ａを押圧するための押圧片３３ｂとを有して、ボディ６０に揺動自在に収納される。そして、治具挿入孔からボディ６０内に差し込んだ治具の先部で操作部３３ａを押操作することで、押圧片３３ｂによって鎖錠ばね３２の鎖錠片３２ａが押圧され、これにより鎖錠ばね３２による電源線の鎖錠を解除することができるようになっている。
【００５１】
照光ブロック５は、図２に示すように、電流トランスＣＴの２次巻線Ｎ２の両端部間に接続され、電源ＡＣから負荷Ｌへの給電がオンのときに発光する発光素子である発光ダイオードＬＥＤを有する点灯回路部Ａと、負荷側端子板３１に接続される第１の接続端子と電源用端子板３０に接続される第２の接続端子との間に接続され電源ＡＣから負荷Ｌへの給電がオフである際に発光する表示灯であるネオンランプＮＥを有する表示回路部Ｂとを備えており、図５（ａ）に示すように、リード板ＬＰから打ち抜き形成された第１〜第６のリード端子５１〜５６と、これらリード端子５１〜５６が埋設（インサート）された合成樹脂製の成形基体５７とで構成された本体５０に、後述する電子部品を実装することで構成されている。
【００５２】
前述の電子部品は、図２に示すように、電源ＡＣから負荷Ｌへの給電がオンのときに発光（例えば赤色に発光）する発光素子である発光ダイオードＬＥＤと、発光ダイオードＬＥＤを逆方向電圧から保護するためのダイオードＤと、発光ダイオードＬＥＤを大電流から保護するための限流用の抵抗Ｒ１と、発光ダイオードＬＥＤの誤動作を防止するためのバイパス用のコンデンサＣと、電源ＡＣから負荷Ｌへの給電がオフのときに発光する（例えば緑色に発光する）表示灯であるネオンランプＮＥと、ネオンランプＮＥを大電流から保護するための限流用の抵抗Ｒ２と、ネオンランプＮＥに点灯用の電圧を与えるための抵抗Ｒ３とからなる。
【００５３】
尚、これらの電子部品は、いずれも表面実装型のものであって、リフロー半田付けによって本体５０に実装できるようにしている。また尚、バイパス用のコンデンサＣの替わりに、抵抗を用いるようにしてもよい。
【００５４】
以下に、リード板ＬＰから打ち抜き形成された第１〜第６のリード端子５１〜５６について図６（ａ），（ｂ）を参照して説明する。
【００５５】
第１〜第３のリード端子５１〜５３は、発光ダイオードＬＥＤを、電流トランスＣＴの２次巻線Ｎ２の両端部間に接続するために用いられている。
【００５６】
第１のリード端子５１は、電流トランスＣＴの２次巻線Ｎ２の一方の端部を、抵抗Ｒ１の一方の端子に電気的に接続するためのものであって、第１のリード端子５１を略Ｓ字状に曲成してなる第１のばね片５１ａと、第１のばね片５１ａの基端部（図７にＰ１で示す部位）に対向するように第１のリード端子５１を略く字状に曲成してなり、第１のばね片５１ａとともにトランスブロック４の接続部４１の先端部４１ａを狭持する第２のばね片５１ｂとを有している。さらに、第１のリード端子５１は、抵抗Ｒ１の一方の端子が半田付けされるランド部５１ｃを有している。
【００５７】
第２のリード端子５２は、抵抗Ｒ１の他方の端子を、発光ダイオードＬＥＤのアノード端子及びダイオードＤのカソード端子並びにコンデンサＣの一方の端子にそれぞれ電気的に接続するためのものであって、第１のリード端子５１のランド部５１ｃの近傍に配置されて抵抗Ｒ１の他方の端子が半田付けされるランド部５２ａと、発光ダイオードＬＥＤのアノード端子が半田付けされるランド部５２ｂと、ダイオードＤのカソード端子及びコンデンサＣの一方の端子がそれぞれ半田付けされるランド部５２ｃとを有している。
【００５８】
第３のリード端子５３は、発光ダイオードＬＥＤのカソード端子及びダイオードＤのアノード端子並びにコンデンサＣの他方の端子を、電流トランスＣＴの２次巻線Ｎ２の他方の端部にそれぞれ電気的に接続するためのものであって、第３のリード端子５３を略Ｓ字状に曲成してなる第１のばね片５３ａと、第１のばね片５３ａの基端部（図６（ｂ）にＱ１で示す部位）に対向するように第３のリード端子５３を略く字状に曲成してなり、第１のばね片５３ａとともにトランスブロック４の接続部４１の先端部４１ａを狭持する第２のばね片５３ｂとを有している。
【００５９】
さらに、第３のリード端子５３は、第２のリード端子５２のランド部５２ｂの近傍に配置されて発光ダイオードＬＥＤのカソード端子が半田付けされるランド部５３ｃと、第２のリード端子５２のランド部５２ｃの近傍に配置されてダイオードＤのカソード端子及びコンデンサＣの他方の端子がそれぞれ半田付けされるランド部５３ｄとを有している。
【００６０】
したがって、これら第１〜第３のリード端子５１〜５３によれば、電流トランスＣＴの２次巻線Ｎ２の一方の端部を抵抗Ｒ１の一方の端子に、抵抗Ｒ１の他方の端子を発光ダイオードＬＥＤのアノード端子及びダイオードＤのカソード端子並びにコンデンサＣの一方の端子に、発光ダイオードＬＥＤのカソード端子及びダイオードＤのアノード端子並びにコンデンサＣの他方の端子を電流トランスＣＴの２次巻線Ｎ２の他方の端部に、それぞれ電気的に接続することが可能となり、これにより図２に示すような点灯回路部Ａが構成されることになる。
【００６１】
一方、第４〜第６のリード端子５４〜５６は、ネオンランプＮＥを接続するために用いられている。本実施形態のスイッチ装置は、図２に示すように、片切り型のものであるため、第４〜第６のリード端子５４〜５６は、ネオンランプＮＥを、電源ＡＣと負荷Ｌとの間に、スイッチ機構部ＳＷ１と並列に接続するために用いられる。
【００６２】
第４のリード端子５４は、両抵抗Ｒ２，Ｒ３の一方の端子のそれぞれを電源用端子板３０に接続するための上記第１の接続端子として用いられるものであって、電源用端子板３０に弾接される電源用接触子５４ａを有するとともに、抵抗Ｒ２，Ｒ３の一方の端子がそれぞれ半田付けされるランド部５４ｂ，５４ｃを有している。ところで、この第４のリード端子５４は、その中腹部５４ｄが本体５０から露出するように構成されており、この中腹部５４ｄは、照光ブロック５を３路型のスイッチ装置に採用する際に、第２の負荷用端子板３４（図１０参照）に接続するために用いられる。この点については後に詳細に説明する。
【００６３】
第５のリード端子５５は、抵抗Ｒ２の他方の端子を、ネオンランプＮＥの一方の端子に接続するためのものであって、第４のリード端子５４のランド部５４ｂの近傍に配置されて抵抗Ｒ２の他方の端子が半田付けされるランド部５５ａと、ネオンランプＮＥの一方の端子をかしめ固定するためのかしめ端子５５ｂとを有している。
【００６４】
第６のリード端子５６は、抵抗Ｒ３の他方の端子及びネオンランプＮＥの他方の端子を、負荷用端子板３１に接続するための上記第２の接続端子として用いられるものであって、負荷用端子板３１に弾接される負荷用接触子５６ａを有するとともに、第５のリード端子５５のかしめ端子５５ｂの近傍に配置され、ネオンランプＮＥの他方の端子をかしめ固定するためのかしめ端子５６ｂと、第４のリード端子５４のランド部５４ｃの近傍に配置されて抵抗Ｒ３の他方の端子が半田付けされるランド部５６ｃとを有している。
【００６５】
したがって、これら第４〜第６のリード端子５４〜５６によれば、電源用端子板３０を両抵抗Ｒ２，Ｒ３の一方の端子に、抵抗Ｒ２の他方の端子をネオンランプＮＥの一方の端子に、抵抗Ｒ３の他方の端子及びネオンランプＮＥの他方の端子を負荷用端子板３１に、それぞれ電気的に接続することが可能となり、これにより図２に示す表示回路部Ｂが構成されることになる。
【００６６】
次に、上記の第１〜第６のリード端子５１〜５６が埋設される成形基体５７について説明する。この成形基体５７は、図５（ａ）に示すように、略矩形状に形成されており、前面の長手方向一端側（図５（ａ）における右端側）における短手方向一端側（図５（ａ）における上端側）には、ランド部５１ｃ及びランド部５２ａを前面に露出させる第１の窓孔５７ａが設けられており、短手方向他端側（図５（ａ）における下端側）には、ランド部５２ｃ及びランド部５３ｄを露出させる第２の窓孔５７ｂが２つ設けられている。また、成形基体５７の前面中央部には、ランド部５２ｂ及びランド部５３ｃを露出させる第３の窓孔５７ｃが設けられている。
【００６７】
さらに、成形基体５７の前面の長手方向他端側（図５（ａ）における左端側）における短手方向一端側には、ランド部５４ｃ及びランド部５６ｃを露出させる第４の窓部５７ｄが設けられ、短手方向他端側には、ランド部５４ｂ及びランド部５５ａを露出させる第５の窓孔５７ｅが設けられている。
【００６８】
一方、成形基体５７の長手方向一端側の中央部には、第１のリード端子５１の両ばね片５１ａ，５１ｂと、第３のリード端子５３の両ばね片５３ａ，５３ｂとを突出させる第１の切欠部５７ｆが設けられている。また、成形基体５７の長手方向一端側の中央部には、第１のリード端子５１の第１のばね片５１ａの先端部（図７にＰ２で示す部位）と、第３のリード端子５３の第１のばね片５３ａの先端部（図６（ｂ）にＱ２で示す部位）とにそれぞれ対向するようにリブ５７ｇが突設されており、このリブ５７ｇは、第１のばね片５１ａ，５３ａとともにトランスブロック４の接続部４１の先端部４１ａを狭持するために用いられる。
【００６９】
尚、第１のリード端子５１と第３のリード端子５３とは、第１のリード端子５１の両ばね片５１ａ，５１ｂと、第３のリード端子５３の両ばね片５３ａ，５３ｂとが、成形基体５７の短手方向において線対称となるように配置されている。
【００７０】
さらに、成形基体５７の短手方向一端側における中央部には、上述したように第４のリード端子５４の中腹部５４ｄを露出させる第２の切欠部５７ｈが設けられ、成形基体５７の短手方向他端側における中央部には、第６のリード端子５６の負荷用接触子５６ａを突出させる第３の切欠部５７ｉが設けられている。尚、成形基体５７の短手方向他端側における長手方向他端側からは、かしめ端子５５ｂ，５６ｂが突出される。
【００７１】
このようにして照光ブロック５の本体５０は構成されており、この本体５０には、発光ダイオードＬＥＤと、ダイオードＤと、抵抗Ｒ１〜Ｒ３と、コンデンサＣと、ネオンランプＮＥとが次のようにして実装されている。すなわち、抵抗Ｒ１は、第１の窓孔５７ａから露出するランド部５１ｃ及びランド部５２ａに実装され、ダイオードＤは、一方の第２の窓孔５７ｂから露出するランド部５２ｃ及びランド部５３ｄに実装され、コンデンサＣとは、他方の第２の窓孔５７ｂから露出するランド部５２ｃ及びランド部５３ｄに実装されている。
【００７２】
そして、発光ダイオードＬＥＤは、第３の窓孔５７ｃから露出するランド部５２ｂ及びランド部５３ｃに実装されている。また、抵抗Ｒ３は、第４の窓孔５７ｄから露出するランド部５４ｃ及びランド部５６ｃに実装され、抵抗Ｒ２は、第５の窓孔５７ｅから露出するランド部５４ｂ及びランド部５５ａに実装され、ネオンランプＮＥは、成形基体５７の短手方向他端側における長手方向他端側から突出されたかしめ端子５５ｂ，５６ｂに、両端子がそれぞれかしめ固定されている。
【００７３】
以上により、図５（ａ）に示すような照光ブロック５が構成されており、この照光ブロック５では、図７に示すように、第１のリード端子５１の第１のばね片５１ａと、第１のばね片５１ａの先端部Ｐ２に対向するように成形基体５７に一体に突設されて第１のばね片と５１ａとともに接続部４１の先端部４１ａを狭持するリブ５７ｇと、第１のばね片５１ａの基端部Ｐ１に対向するように第１のリード端子５１を曲成してなり、第１のばね片５１ａとともに接続部４１の先端部４１ａを狭持する第２のばね片５１ｂとで、電流トランスＣＴの２次巻線Ｎ２の一方の端部が電気的に接続された接続部４１が差し込み接続される被接続部５８が構成されている。
【００７４】
同様に、図６（ｂ）に示すように、第３のリード端子５３を曲成してなる第１のばね片５３ａと、第１のばね片５３ａの先端部Ｑ２に対向するように成形基体５７に一体に突設されて第１のばね片５３ａとともに接続部４１の先端部４１ａを狭持するリブ５７ｇと、第１のばね片５３ａの基端部Ｑ１に対向するように第３のリード端子５３を曲成してなり、第１のばね片５３ａとともに接続部４１の先端部４１ａを狭持する第２のばね片５３ｂとで、電流トランスＣＴの２次巻線Ｎ２の他方の端部が電気的に接続された接続部４１が差し込み接続される被接続部５９が構成されている。
【００７５】
また、照光ブロック５においては、第４のリード端子５４が、照光ブロック５の一端部側（図６（ａ）における上端部側）に設けられており、上記電子部品は、照光ブロック５の他端部側（図６（ｂ）における下端部側）に設けられている。
【００７６】
上記の部材によりスイッチ装置１は構成されており、次にその組み立て方法について説明する。まず、トランスブロック４に中枠２０を、中枠２０の挿通孔２０ｅから電流トランスＣＴの１次巻線Ｎ１の一方の端部Ｎ１ａを前方に突出させた状態で、中枠２０の各嵌合突部をトランスブロック４のケース４０の各嵌合凹部４０ａに凹凸嵌合することによって被着する。この後に、支持板２１の平板部２１ａを中枠２０の台部２０ａの前面に載置するとともに、支持板２１のコイル接続部２１ｂに１次巻線Ｎ１の他方の端部Ｎ１ｂを半田付け等により電気的に接続する。そして、このように中枠２０及び支持板２１が取り付けられたトランスブロック４を、接続部４１，４１の先端部４１ａ，４１ａを前方に向けた状態で、ボディ６０の底壁部の長手方向中央部の凹所に収納する。
【００７７】
次に、２個の解除釦３３を、操作部３３ａがボディ６０の各治具挿入孔からボディ６０の外部に臨むようにしてボディ６０にそれぞれ収納し、３個の鎖錠ばね３２を、鎖錠片３２ａが解除釦３３の押圧片３３ｂと対向するとともに、ボディ６０の各挿入孔に対向するようにしてボディ６０に収納する。
【００７８】
そして、電源用端子板３０を、電源用端子部３０ａ及び送り用端子部３０ｂの各一対の押さえ片３０ｃ，３０ｃが鎖錠ばね３２と対向するようにして中枠２０の支持部２０ｂ上に載置することで、ボディ６０に収納する。これにより、電源用挿入孔から挿入された電線線を鎖錠する速結端子からなる端子部Ｔ１、及び送り用挿入孔から挿入された電線線を鎖錠する速結端子からなる端子部Ｔ３が構成されることになる。
【００７９】
このように電源用端子板３０をボディ６０に収納した際には、電源用端子板３０のコイル接続部３０ｄに、中枠２０の挿通孔２０ｅから突出させた１次巻線Ｎ１の一方の端部Ｎ１ａを半田付け等により電気的に接続する。また、電源用端子板３０の収納に並行して、負荷用端子板３１を、負荷用端子部３１ｂの一対の押さえ片３１ｃ，３１ｃが鎖錠ばね３２と対向するとともに、固定接点２２が電源用端子板３０側を向くようにして中枠２０の支持部２０ｃ上に載置することで、ボディ６０に収納する。これにより、負荷用挿入孔から挿入された電線線を鎖錠する速結端子からなる端子部Ｔ２が構成されることになる。
【００８０】
以上により図１（ａ）に示すように、トランスブロック４と、中枠２０と、支持板２１と、電源用端子板３０と、負荷用端子板３１と、３個の鎖錠ばね３２と、２個の解除釦３３とがボディ６０に収納された状態となり、この後には、照光ブロック５を以下のようにして収納する。すなわち、照光ブロック５を、図１（ｂ）に示すように、照光ブロック５の各被接続部５８，５９に、トランスブロック４の各接続部４１の先端部４１ａをそれぞれ差し込み接続するとともに、電源用端子板３０及び負荷用端子板３１に照光ブロック５の電源用接触子５４ａ及び負荷用接触子５６ａをそれぞれ弾接させた状態で、ボディ６０に収納するのである。
【００８１】
ここで、図１６（ａ），（ｂ）に示す従来例では、照光ブロック５を収納する際に、照光ブロック５をトランスブロック４に半田付けする必要があったが、本実施形態では、差し込み接続によって照光ブロック５をトランスブロック４に接続できるため、半田付けを行う必要がなくなっている。
【００８２】
図１（ｂ）に示すように照光ブロック５を収納したボディ６０には、開閉子２３を、開閉子２３の基端部が支持板２１の平板部２１ａに接触導通されるとともに、軸部２３ｂをボディ６０の軸受け部に、軸部２３ｃを中枠２０のリブ２０ｄの軸受け部に、規制突起２３ｄを中枠２０のリブ２０ｄの規制溝部に、それぞれ挿入された状態で収納し、この後に、ボディ６０にカバー６１を被着する。ここで、カバー６１には、軸部２４ａをカバー６１の一対の軸受け部６１ｄにそれぞれ支持させることで、反転ハンドル２４を取り付けており、また、カバー６１には、上述したように、押釦ハンドル６２と、ランプカバー６３と、復帰ばね６４と、スライドカムとが取り付けられている。
【００８３】
ボディ６０にカバー６１を被着する際には、反転ハンドル２４の後端開口に反転ばね２５の前端側を嵌入させるとともに、反転ばね２５の後端縁に開閉子２３の係合突起２３ａに係合させておき、この状態で、カバー６１の各係止片６１ｇの係止孔６１ｈに、ボディ６０の各係止爪６０ａを凹凸嵌合させることによって、カバー６１をボディ６０に被着する。
【００８４】
これにより図８に示すスイッチ装置１が得られ、このスイッチ装置１は、固定接点２２及び可動接点を有し可動接点を固定接点２２に接離させるスイッチ機構部ＳＷ１、固定接点２２に電気的に接続される固定側端子板となる負荷用端子板３１、及び可動接点に電気的に接続される可動側端子板となる電源用端子板３０を備える片切型のものである。そして、このスイッチ装置１は、取付爪６１ｉ，６１ｉを用いて取付枠（図示せず）に取り付けられ、さらに軸部６１ｆを用いてピアノハンドル（図示せず）が揺動自在に取り付けられた状態で、使用に供される。
【００８５】
次にスイッチ装置１の動作について簡単に説明する。スイッチ装置１は、図２に示すように、端子部Ｔ１に電源ＡＣの一端が接続され、電源ＡＣの他端に負荷Ｌの一端が接続され、負荷Ｌの他端が端子部Ｔ２に接続された状態（つまりは電源ＡＣと負荷Ｌとの間に直列に接続された状態）で使用される。
【００８６】
尚、初期状態では、スイッチ機構部ＳＷ１がオフ（つまりは、反転ハンドル２４の後端側が電源用端子板３０に近接する位置に位置して、開閉子２３の可動接点が固定接点２２から離間し、電源ＡＣから負荷Ｌへの給電が行われていない状態）であるとする。この初期状態では、図２に示すように、端子部Ｔ１、抵抗Ｒ３、端子部Ｔ２の電路、及び端子部Ｔ１、抵抗Ｒ２、ネオンランプＮＥ、端子部Ｔ２の電路で電流が流れることになるため、ネオンランプＮＥが点灯し、これにより暗闇でもスイッチ装置１の位置がわかるようになっている。勿論、ネオンランプＮＥが点灯している際には、負荷Ｌへの給電が不十分となるようにして、負荷Ｌが動作しないようにしている。
【００８７】
上記初期状態から押釦ハンドル６２が押操作されると、スライドカムによって反転ハンドル２４が揺動し（すなわち、反転ハンドル２４の後端側が電源用端子板３０から離間して負荷用端子板３１に近接する向きに揺動し）、このように反転ハンドル２４が揺動すると揺動範囲の中間で反転ばね２５が最も圧縮される位置を通過する。この位置の前後において反転ばね２５から開閉子２３に作用するばね力の向きが反転する。このような反転ばね２５のばね力により開閉子２３が急速に揺動して、開閉子２３の可動接点が負荷用端子板３１の固定接点２２に接触し、これによりスイッチ機構部ＳＷ１がオンとなる。
【００８８】
そして、スイッチ機構部ＳＷ１がオンとなった際には、端子部Ｔ１、電流トランスＣＴの１次巻線Ｎ１、スイッチ機構部ＳＷ１、端子部Ｔ２の電路で電流が流れ、これにより電源から負荷Ｌに十分な電力が給電されて負荷Ｌが動作可能となるとともに、ネオンランプＮＥには電流が殆ど流れなくなってネオンランプＮＥが消灯される。同時に、電流トランスＣＴの１次巻線Ｎ１に流れる電流によって電流トランスＣＴの２次巻線Ｎ２に誘導起電力が生じ、２次巻線Ｎ２側では、２次巻線Ｎ２、抵抗Ｒ１、発光ダイオードＬＥＤ、２次巻線Ｎ２の電路で電流が流れて、発光ダイオードＬＥＤが点灯する。これによりスイッチ装置１を見ることによって負荷Ｌへの給電が行われていることを視認できる。
【００８９】
この後に、再度押釦ハンドル６２を押操作すると、反転ハンドル２４が初期状態に戻るように揺動し（すなわち、反転ハンドル２４の後端側が負荷用端子板３１から離間して電源用端子板３０に近接する向きに揺動し）、これによりスイッチ機構部ＳＷ１がオフである上記の初期状態に戻り、負荷Ｌの動作がオフとなるとともに、発光ダイオードＬＥＤが消灯し、代わりにネオンランプＮＥが点灯することになる。
【００９０】
以上述べた本実施形態のスイッチ装置１によれば、電流トランスＣＴの２次巻線Ｎ２と照光ブロック５との接続を、トランスブロック４の接続部４１を照光ブロック５の被接続部５８，５９に差し込み接続するだけの簡単な作業で行うことができるので、スイッチ装置１の組立を容易に行えるという効果を奏する。また、図１６（ａ），（ｂ）に示す従来のスイッチ装置のように電流トランスの２次巻線と照光ブロックとを接続する際に半田付けを行う必要がなくなるから、半田付けによる悪影響（半田ボール、フラックスの飛散、焦げ、半田付け不良、半田付け時の熱による変形、半田による短絡等）の防止を図ることができるという効果を奏する。また、半田付けのような時間のかかる作業を行う必要がないことから、組立にかかる時間の短縮を図ることができ、これにより製造のサイクルタイムを向上できるという効果を奏する。
【００９１】
加えて、照光ブロック５の被接続部５８，５９は、図７に示すように（図７では被接続部５８のみを示している）、第１及び第３のリード端子５１，５３を曲成してなる第１のばね片５１ａ，５３ａと、第１のばね片５１ａ，５３ａの先端側Ｐ２，Ｑ２と対向する合成樹脂製のリブ５７ｇと、第１のばね片５１ａ，５３ａの基端側Ｐ１，Ｑ１に対向するように第１及び第３のリード端子５１，５３を曲成してなる第２のばね片５１ｂ，５３ｂとで構成されている。
【００９２】
このように各被接続部５８，５９は、その先端側においては、合成樹脂製のリブ５７ｇが被接続部５８，５９の一部を構成しているので、金属板であるリード端子を曲成する場合に比べて、被接続部５８，５９用の形状の作成が行い易くなるという効果を奏する。加えて、リブ５７ｇは、金属板であるリード端子を曲成してなるばね片とは異なり接続部４１の差し込み時に変形することがないから、被接続部５８，５９の変形を抑制することができるという効果する。
【００９３】
また、各被接続部５８，５９は、その基端側においては、金属板であるリード端子５１，５３を曲成してなる第１のばね片５１ａ，５３ａ及び第２のばね片５１ｂ，５３ｂによって被接続部５８，５９を構成しているので、合成樹脂製のリブ５７ｇを用いる場合とは異なり熱によって変形してしまうことがなくなり、これにより耐熱性を向上できるという効果を奏する。
【００９４】
さらに、第１のばね片５１ａ，５３ａと第２のばね片５３ａ，５３ｂとは、ともに導電性を有しているから、一方を合成樹脂成製のリブ５７ｇとする場合に比べて、接触信頼性を向上できるという効果を奏する。加えて、合成樹脂製のリブ５７ｇとは異なり、クリープが生じることがないという効果を奏する。
【００９５】
ところで、以上述べたスイッチ装置１は、上述したように片切型のスイッチ装置であるが、スイッチ装置としては、片切型のものの他に図１７に示すような３路型のものが従来から提供されている。このような片切型のスイッチ装置と、３路型のスイッチ装置とは、回路構成が異なっているために部品数や形状も異なっており、図１６（ａ），（ｂ）に示す従来の片切型のスイッチ装置１００と、図１７に示す従来の３路型のスイッチ装置２００とでは、それぞれ異なる形状の照光ブロック１２０，２２０を用いている。
【００９６】
これに対して、上記の照光ブロック５は、図２に示す回路構成を有する（単極単投の接点構成を有する）片切型のスイッチ装置に対応するように構成されるとともに、第４のリード端子５４を図５（ａ）にＣ１，Ｃ２で示す切断部位で切断することによって、図９に示す回路構成を有する（単極切換えの接点構成を有する）３路型のスイッチ装置にも対応できるように構成されている。以下、この点について図９〜図１１を参照して説明する。
【００９７】
図９に示すスイッチ装置１Ａは、３路型のスイッチ装置であって、図９〜図１１に示すように、商用電源等の電源ＡＣから照明等の負荷Ｌへの給電をオンオフするスイッチ機構部ＳＷ２を有するスイッチブロック２Ａと、電源用の端子部Ｔ１及び第１の負荷用の端子部Ｔ２並びに第２の負荷用の端子部Ｔ４を有する端子ブロック３Ａと、トランスブロック４と、電流トランスＣＴの２次巻線Ｎ２の両端部間に接続され、電源ＡＣから負荷Ｌへの給電がオンのときに発光する発光ダイオードＬＥＤを有する照光ブロック５Ａと、スイッチブロック２Ａと端子ブロック３Ａとトランスブロック４と照光ブロック５Ａとが収納される器体６Ａとを備えている。尚、上記のスイッチ装置１と同様の構成については、同一の符号を付して説明を省略する。
【００９８】
まず、器体６Ａについて説明する。器体６Ａは、図１０に示すように、ともに合成樹脂成形品からなるボディ６０Ａとカバー６１とで構成されており、その外形寸法は、上記の器体６と同様の寸法に形成されている。
【００９９】
ボディ６０Ａは、図１０に示すように、上記のボディ６０と同様のものであるが、底壁部における長手方向他端側（図１０における左上側）に、負荷の電源線を器体６Ａ内に挿入するための第１の負荷用挿入孔（図示せず）及び第２の負荷用挿入孔６０ｂが設けられている点で異なっている。
【０１００】
以上述べたボディ６０Ａとカバー６１とからなる器体６Ａには、図１０に示すように、中枠２０Ａと、支持板２１と、スイッチ機構部ＳＷ２を構成する第１の固定接点２２Ａ及び第２の固定接点（図示せず）並びに各固定接点と接離する可動接点と、開閉子２３Ａと、反転ハンドル２４と、反転ばね２５とを有するスイッチブロック２Ａが収納されている。また、器体６Ａには、電源用端子板３０と、第１の負荷用端子板３１Ａと、第２の負荷用端子板３４と、４個の鎖錠ばね３２と、２個の解除釦３３とを有する端子ブロック３Ａが収納されている。さらに、器体６Ａには、トランスブロック４と照光ブロック５Ａとが収納されている。
【０１０１】
中枠２０Ａは、上記の中枠２０と同様のものであるが、台部２０ａの前面に、第２の負荷用端子板３４を支持する支持部２０ｅが突設されている点で異なっている。
【０１０２】
開閉子２３Ａは、上記の開閉子２３と同様のものであるが、一面側に第１の固定接点２２と接離する可動接点（図示せず）が固着されるとともに、他面側に第２の固定接点と接離する可動接点２６が固着されている点で異なっている。
【０１０３】
第１の負荷用端子板３１Ａは、図１０に示すように、上記の負荷用端子板３１と同様のものであり、ボディ６０Ａの第１の負荷用挿入孔から挿入された電源線が接触接続される負荷用端子部３１ａと、第１の固定接点２２Ａが設けられた接点板３１ｂとを一体に備え、負荷用端子部３１ａは、鎖錠ばね３２を狭持するように延設された一対の押さえ片３１ｃ，３１ｃを有している。そして、負荷用端子部３１ａは、鎖錠ばね３２と、解除釦３３とともに、第１の負荷用挿入孔から挿入された電線線を鎖錠する速結端子からなる第１の負荷用の端子部Ｔ２を構成する。
【０１０４】
第２の負荷用端子板３４は、図１０に示すように、上記第１の負荷用端子板３１Ａと同様に銅板等の導電性を有する金属板から曲成されており、ボディ６０Ａの第２の負荷用挿入孔６０ｂから挿入された電源線が接触接続される負荷用端子部３４ａと、第１の固定接点２２と対向配置される第２の固定接点が設けられた接点板３４ｂとを一体に備えている。ここで、負荷用端子部３４ａは、鎖錠ばね３２と、解除釦３３とともに、第２の負荷用挿入孔６０ｂから挿入された電線線を鎖錠する速結端子からなる第２の負荷用の端子部Ｔ４を構成するものであり、鎖錠ばね３２を狭持するように延設された一対の押さえ片３４ｃ，３４ｃを有している。
【０１０５】
照光ブロック５Ａは、図５（ａ）に示す照光ブロック５と同様の構成を有しているものであるが、図９に示すようにスイッチ装置が３路型のものであるため、第４〜第６のリード端子５４〜５６が、ネオンランプＮＥを、第１の負荷用の端子部Ｔ２と第２の負荷用の端子部Ｔ４との間に、接続するために用いられる点で異なっている。
【０１０６】
第４のリード端子５４は、図５（ａ）に示す切断線Ｃ１，Ｃ２で切断されている点で上記の例とは異なっている。すなわち、第４のリード端子５４は、切断線Ｃ２で切断されることによって、図５（ｂ）に示すように、所定部位、つまりは電源用接触子５４ａが除去されており、これにより第４のリード端子５４が電源用端子板３０に電気的に接続されないようになっている。また、第４のリード端子５４は、中腹部５４ｄが切断線Ｃ１において切断されるとともに、この中腹部５４ｄを用いて、第２の負荷用端子板３４に弾接される第２の負荷用接触子５４ｅが構成されている。
【０１０７】
したがって、第４のリード端子５４は、図５（ｂ）に示すように、第２の負荷用端子板３４に弾接される負荷用接触子５４ｅを有するとともに、抵抗Ｒ２，Ｒ３の一方の端子がそれぞれ半田付けされるランド部５４ｂ，５４ｃを有することになる。つまり、第４のリード端子５４は、図２に示すような片切型のスイッチ装置では、電源用端子板３０に接続され、図９に示すような３路型のスイッチ装置では、所定部位で切断が切断されることによって、第２の負荷用端子板３４に接続可能に構成されているのである。
【０１０８】
一方、第６のリード端子５６は、３路型のスイッチ装置では、負荷用接触子５６ａが第１の負荷用端子板３１Ａに弾接される。つまり、第６のリード端子５６は、片切型のスイッチ装置においては、負荷用端子板３１に接続され、３路型のスイッチ装置においては、第１の負荷用端子板３１Ａに接続可能に構成されている。
【０１０９】
以上述べた第４〜第６のリード端子５４〜５６によれば、第２の負荷用端子板３４を両抵抗Ｒ２，Ｒ３の一方の端子に、抵抗Ｒ２の他方の端子をネオンランプＮＥの一方の端子に、抵抗Ｒ３の他方の端子及びネオンランプＮＥの他方の端子を第１の負荷用端子板３１Ａに、それぞれ電気的に接続することが可能となり、これにより図９に示す表示回路部Ｂが構成されることになる。
【０１１０】
上記の部材によりスイッチ装置１Ａは構成されており、次にその組み立て方法について説明する。尚、トランスブロック４を収納するまでは上記の通りであるから説明を省略する。トランスブロック４がボディ６０Ａに収納した後には、２個の解除釦３３を、操作部３３ａがボディ６０Ａの各治具挿入孔からボディ６０Ａの外部に臨むようにしてボディ６０Ａにそれぞれ収納し、４個の鎖錠ばね３２を、鎖錠片３２ａが解除釦３３の押圧片３３ｂと対向するとともに、ボディ６０の各挿入孔に対向するようにしてボディ６０Ａに収納する。
【０１１１】
この後に、電源用端子板３０を、上述したようにボディ６０Ａに収納し、第１の負荷用端子板３１Ａを、負荷用端子部３１ｂの一対の押さえ片３１ｃ，３１ｃが鎖錠ばね３２と対向するとともに、第１の固定接点２２が電源用端子板３０側を向くようにして中枠２０Ａの支持部２０ｃ上に載置することで、ボディ６０Ａに収納する。これにより、第１の負荷用挿入孔から挿入された電線線を鎖錠する速結端子からなる第１の負荷用の端子部Ｔ２が構成されることになる。次に、第２の負荷用端子板３４を、負荷用端子部３４ｂの一対の押さえ片３１ｃ，３１ｃが鎖錠ばね３２と対向するとともに、第２の固定接点が第１の固定接点２２Ａと対向するようにして中枠２０Ａの支持部２０ｅ上に載置することで、ボディ６０Ａに収納する。これにより、第２の負荷用挿入孔６０ｂから挿入された電線線を鎖錠する速結端子からなる第２の負荷用の端子部Ｔ２が構成されることになる。
【０１１２】
以上により図１１に示すように、トランスブロック４と、中枠２０Ａと、支持板２１と、電源用端子板３０と、第１の負荷用端子板３１Ａと、第２の負荷用端子板３４と、４個の鎖錠ばね３２と、２個の解除釦３３とがボディ６０Ａに収納された状態となり、この後には、照光ブロック５Ａを以下のようにして収納する。すなわち、照光ブロック５Ａを、照光ブロック５の各被接続部５８，５９に、トランスブロック４の各接続部４１の先端部４１ａを差し込み接続し、また第１の負荷用端子板３１Ａ及び第２の負荷用端子板３４に照光ブロック５の第１の負荷用接触子５６ａ及び第２の負荷用接触子５４ｅをそれぞれ弾接させた状態で、ボディ６０Ａに収納する。
【０１１３】
したがって、差し込み接続によって照光ブロック５Ａをトランスブロック４に接続できるため、半田付けを行う必要がない。
【０１１４】
照光ブロック５Ａを収納したボディ６０Ａには、開閉子２３Ａを、開閉子２３Ａの基端部が支持板２１の平板部２１ａに接触導通されるとともに、軸部２３ｂをボディ６０の軸受け部に、軸部２３ｃを中枠２０のリブ２０ｄの軸受け部に、規制突起２３ｄを中枠２０のリブ２０ｄの規制溝部に、それぞれ挿入された状態で、且つ第１の固定接点２２Ａに第１の可動接点を、第２の固定接点に第２の可動接点２６をそれぞれ対向させた状態で収納し、この後にボディ６０Ａに、上述したようにカバー６１を被着する。
【０１１５】
これによりスイッチ装置１Ａが得られ、このスイッチ装置１Ａは、第１の固定接点、及び第２の固定接点、並びに各固定接点に接離される可動接点を有し、可動接点を第１の固定接点及び第２の固定接点の一方に選択的に接触させるスイッチ機構部ＳＷ２と、第１の固定接点に電気的に接続される第１の端子板として用いられる第１の負荷用端子板３１Ａと、第２の固定接点に電気的に接続される第２の端子板として用いられる第２の負荷側端子板３４と、可動接点に電気的に接続される第３の端子板として用いられる電源用端子板３０とを備える３路型のものである。尚、３路型のスイッチ装置では、使用形態によって各端子板３０，３１Ａ，３４の接続先が変わるため、必ずしも電源用端子板３０及び負荷用端子板３１Ａ，３４に、電源ＡＣの電源線及び負荷の電源線がそれぞれ接続されるとは限らない（例えば、図９に示す右方のスイッチ装置１Ａでは、電源用端子板３０に負荷Ｌの電源線が接続されている）が、片切型のスイッチ装置の構成と対比するために上記ように表記している。
【０１１６】
そして、スイッチ装置１Ａは、取付爪６１ｉ，６１ｉを用いて取付枠（図示せず）に取り付けられ、さらに軸部６１ｆを用いてピアノハンドル（図示せず）が揺動自在に取り付けられた状態で、使用に供される。
【０１１７】
次にスイッチ装置１Ａの動作について簡単に説明する。スイッチ装置１Ａは、主に２つセットで用いられるものであり、図９に示すように、一方のスイッチ装置１Ａ（図９における左方のスイッチ装置１Ａ）の端子部Ｔ１に電源ＡＣの一端を接続し、電源ＡＣの他端に負荷Ｌの一端を接続し、負荷Ｌの他端を他方のスイッチ装置１Ａ（図９における右方のスイッチ装置１Ａ）の端子部Ｔ１に接続し、両スイッチ装置１Ａ，１Ａの端子部Ｔ２，Ｔ４同士を接続した状態（つまりは、電源ＡＣと負荷Ｌとの間に両スイッチ装置１Ａ，１Ａが直列接続された状態）で使用される。
【０１１８】
尚、初期状態では、一方のスイッチ装置１Ａの端子部Ｔ１が端子部Ｔ２に接続されており（第１の可動接点が第１の固定接点２２Ａに接触し、第２の可動接点２６が第２の固定接点から離間した状態）、他方のスイッチ装置１Ａの端子部Ｔ１が端子部Ｔ４に接続されている（第１の可動接点が第１の固定接点２２Ａから離間し、第２の可動接点２６が第２の固定接点に接触した状態）とする。
【０１１９】
この初期状態では、図９に示すように、一方のスイッチ装置１Ａの端子部Ｔ１、電流トランスＣＴの１次巻線Ｎ１、スイッチ機構部ＳＷ２、表示回路部Ｂ、端子部Ｔ４、他方のスイッチ装置１Ａの端子部Ｔ４、スイッチ機構部ＳＷ２、電流トランスＣＴの１次巻線Ｎ１、端子部Ｔ１の電路で電流が流れるとともに、一方のスイッチ装置１Ａの端子部Ｔ１、電流トランスＣＴの１次巻線Ｎ１、スイッチ機構部ＳＷ２、端子部Ｔ２、他方のスイッチ装置１Ａの端子部Ｔ２、表示回路部Ｂ、スイッチ機構部ＳＷ２、電流トランスＣＴの１次巻線Ｎ１、端子部Ｔ１の電路で電流が流れ、これにより各スイッチ装置１ＡのネオンランプＮＥが点灯し、これにより暗闇でも各スイッチ装置１Ａの位置がわかるようになっている。勿論、ネオンランプＮＥが点灯している際には、負荷Ｌへの給電が不十分となるようにして、負荷Ｌが動作しないようにするとともに、発光ダイオードＬＥＤが点灯しないようにしている。
【０１２０】
上記初期状態から一方のスイッチ装置１Ａの押釦ハンドル６２を押操作すると、スライドカムによって反転ハンドル２４が揺動し、このように反転ハンドル２４が揺動すると揺動範囲の中間で反転ばね２５がもっとも圧縮される位置を通過する。この位置の前後において反転ばね２５から開閉子２３Ａに作用するばね力の向きが反転する。このような反転ばね２５のばね力により開閉子２３Ａが急速に揺動して、開閉子２３Ａの第１の可動接点が第１の負荷用端子板３１Ａの第１の固定接点２２Ａから離間し、開閉子２３Ａの第２の可動接点２６が第１の負荷用端子板３４の第２の固定接点に接触し、これによりスイッチ機構部ＳＷ２が切り替えられて、端子部Ｔ１が端子部Ｔ４に接続されることになる。
【０１２１】
そして、スイッチ機構部ＳＷ２が切り替えられた際には、一方のスイッチ装置１Ａの端子部Ｔ１、電流トランスＣＴの１次巻線Ｎ１、スイッチ機構部ＳＷ２、端子部Ｔ４、他方のスイッチ装置１Ａの端子部Ｔ４、スイッチ機構部ＳＷ２、電流トランスＣＴの１次巻線Ｎ１、端子部Ｔ１の電路で電流が流れ、これにより電源ＡＣから負荷Ｌに十分な電力が給電されて負荷Ｌが動作可能となるとともに、各スイッチ装置１ＡのネオンランプＮＥには電流が殆ど流れなくなってネオンランプＮＥが消灯される。同時に、各スイッチ装置１Ａの電流トランスＣＴの１次巻線Ｎ１に十分な電流が流れることによって、電流トランスＣＴの２次巻線Ｎ２に誘導起電力が生じる。そして、２次巻線Ｎ２側では、２次巻線Ｎ２、抵抗Ｒ１、発光ダイオードＬＥＤ、２次巻線Ｎ２の電路で電流が流れて、発光ダイオードＬＥＤが点灯し、これにより各スイッチ装置１Ａを見ることによって負荷Ｌへの給電が行われていることを視認できるようになっている。
【０１２２】
この後に、再度一方のスイッチ装置１Ａの押釦ハンドル６２を押操作すると、反転ハンドル２４が初期状態に戻るように揺動し、これによりスイッチ機構部ＳＷ２が切り替えられて上記の初期状態に戻り、負荷Ｌの動作がオフとなるとともに、各スイッチ装置１Ａの発光ダイオードＬＥＤが消灯し、代わりに各スイッチ装置１ＡのネオンランプＮＥが点灯することになる。
【０１２３】
ところで、上記初期状態から他方のスイッチ装置１Ａの押釦ハンドル６２を押操作した際には、上記と同様の動作によってスイッチ機構部ＳＷ２が切り替えられて、端子部Ｔ１が端子部Ｔ２に接続されることになる。そして、このようにスイッチ機構部ＳＷ２が切り替えられた際には、一方のスイッチ装置１Ａの端子部Ｔ１、電流トランスＣＴの１次巻線Ｎ１、スイッチ機構部ＳＷ２、端子部Ｔ２、他方のスイッチ装置１Ａの端子部Ｔ２、スイッチ機構部ＳＷ２、電流トランスＣＴの１次巻線Ｎ１、端子部Ｔ１の電路で電流が流れることになる。したがって、上記初期状態から一方のスイッチ装置１Ａの押釦ハンドル６２を押操作した際と同様に、電源ＡＣから負荷Ｌに十分な電力が給電されて負荷Ｌが動作可能となるとともに、各ネオンランプＮＥが消灯され、代わりに発光ダイオードＬＥＤが点灯することになる。この後に、再度他方のスイッチ装置１Ａの押釦ハンドル６２を押操作すると、反転ハンドル２４が初期状態に戻るように揺動し、これによりスイッチ機構部ＳＷ２が切り替えられて上記の初期状態に戻り、負荷Ｌの動作がオフとなるとともに、各スイッチ装置１Ａの発光ダイオードＬＥＤが消灯し、代わりに各スイッチ装置１ＡのネオンランプＮＥが点灯することになる。
【０１２４】
以上述べたように照光ブロック５は、第４のリード端子５４を所定部位で切断することによって、図２に示すような回路構成を有する片切型のスイッチ装置だけではなく、図９に示すような回路構成を有する３路型のスイッチ装置にも用いることができるように構成されている。そのため、照光ブロック５を片切型のスイッチ装置と３路型のスイッチ装置とで共用することが可能となって、照光ブロック５の初期投資費用（金型投資金額等）を抑えることができるとともに、製造コストを低減できるという効果を奏する。
【０１２５】
また、照光ブロック５においては、第４のリード端子５４が、照光ブロック５の一端部側（図６（ａ）における上端部側）に設けられており、上記電子部品は、照光ブロック５の他端部側（図６（ｂ）における下端部側）に設けられているため、第４のリード端子５４を切断し易くなっており、これにより照光ブロック５に第４のリード端子５４を切断するためのスペースを設ける必要がなくなるから、照光ブロック５のコンパクト化を図ることができるという効果を奏する。
【０１２６】
（実施形態２）
本実施形態のスイッチ装置は、照光ブロック、特に被接続部５８Ｂ，５９Ｂの構成に特徴があり、その他の構成については上記実施形態１と同様であるから、同様の構成については同一の符号を付して説明を省略する。
【０１２７】
本実施形態の照光ブロックは、図１２（ａ），（ｂ）に示すように、リード板ＬＰから打ち抜き形成された第１〜第６のリード端子５１Ｂ，５２，５３Ｂ，５４，５５，５６と、これらリード端子５１Ｂ，５２，５３Ｂ，５４，５５，５６が埋設（インサート）される合成樹脂製の成形基体５７とで構成された本体５０Ｂに、実施形態１と同様の電子部品を実装することで構成されている。
【０１２８】
ここで、第１のリード端子５１Ｂは、第２のばね片５１ｂを有していない点で実施形態１の第１のリード端子５１と異なっている。同様に、第３のリード端子５３Ｂは、第２のばね片５３ｂを有していない点で実施形態１の第３のリード端子５３と異なっている。
【０１２９】
したがって、本実施形態の照光ブロックの本体５０Ｂでは、図１３に示すように、第１のリード端子５１Ｂの第１のばね片５１ａと、第１のばね片５１ａの先端部Ｐ２に対向するように成形基体５７に一体に突設されて第１のばね片５１ａとともに接続部４１の先端部４１ａを狭持するリブ５７ｇとで、電流トランスＣＴの２次巻線Ｎ２の一方の端部が電気的に接続された接続部４１が差し込み接続される被接続部５８Ｂが構成されている。
【０１３０】
同様に本体５０Ｂでは、図１２（ｂ）に示すように、第３のリード端子５３Ｂを曲成してなる第１のばね片５３ａと、第１のばね片５３ａの先端部Ｑ２に対向するように成形基体５７に一体に突設されて第１のばね片５３ａとともに接続部４１の先端部４１ａを狭持するリブ５７ｇとで、電流トランスＣＴの２次巻線Ｎ２の他方の端部が電気的に接続された接続部４１が差し込み接続される被接続部５９Ｂが構成されている。
【０１３１】
つまり、上記実施形態１の照光ブロック５では、第１のばね片５１ａと、リブ５７ｇと、第２のばね片５１ｂとで被接続部５８が構成されているのに対して、本実施形態の照光ブロックでは、第１のばね片５１ａと、リブ５７ｇとで被接続部５８Ｂが構成されている。同様に、上記実施形態１の照光ブロック５では、第１のばね片５３ａと、リブ５７ｇと、第２のばね片５３とで被接続部５９が構成されているのに対して、本実施形態の照光ブロックでは、第１のばね片５３ａと、リブ５７ｇとで被接続部５９Ｂが構成されている。尚、この他の点は、上記実施形態１と同様である。
【０１３２】
したがって、本実施形態のスイッチ装置によれば、上記実施形態１と同様に、電流トランスＣＴの２次巻線Ｎ２と照光ブロック５との接続を、トランスブロック４の接続部４１を照光ブロック５の被接続部５８Ｂ，５９Ｂに差し込み接続するだけの簡単な作業で行うことができるので、スイッチ装置１の組立を容易に行えるという効果を奏する。また、図１６（ａ），（ｂ）に示す従来のスイッチ装置のように電流トランスの２次巻線と照光ブロックとを接続する際に半田付けを行う必要がなくなるから、半田付けによる悪影響（半田ボール、フラックスの飛散、焦げ、半田付け不良、半田付け時の熱による変形、半田による短絡）の防止、及び組立にかかる時間の短縮を図ることができるという効果を奏する。
【０１３３】
また、上述したように、各被接続部５８Ｂ，５９Ｂでは、合成樹脂製のリブ５７ｇが被接続部５８Ｂ，５９Ｂの一部を構成しているので、金属板であるリード端子を曲成する場合に比べて、被接続部５８Ｂ，５９Ｂ用の形状の作成が行い易くなるという効果を奏する。加えて、リブ５７ｇは、金属板であるリード端子を曲成してなるばね片とは異なり接続部４１の差し込み時に変形することがないから、被接続部５８Ｂ，５９Ｂの変形を抑制することができるという効果する。
【０１３４】
（実施形態３）
本実施形態のスイッチ装置は、照光ブロック、特に被接続部５８Ｃ，５９Ｃの構成に特徴があり、その他の構成については上記実施形態１と同様であるから、同様の構成については同一の符号を付して説明を省略する。
【０１３５】
本実施形態の照光ブロックは、図１４（ａ），（ｂ）に示すように、リード板ＬＰから打ち抜き形成された第１〜第６のリード端子５１Ｃ，５２，５３Ｃ，５４，５５，５６と、これらリード端子５１Ｃ，５２，５３Ｃ，５４，５５，５６が埋設（インサート）される合成樹脂製の成形基体５７Ｃとで構成された本体５０Ｃに、実施形態１と同様の電子部品を実装することで構成されている。
【０１３６】
ここで、第１のリード端子５１Ｃは、第１のばね片５１ａの基端部Ｐ１に対向するように第１のリード端子５１Ｃを略く字状に曲成してなる第２のばね片５１ｂを有する代わりに、第１のばね片５１ａの全体（すなわち基端部Ｐ１及び先端部Ｐ２の両方）に対向するように第１のリード端子５１Ｃを略Ｓ字状に曲成してなる第２のばね片５１ｄを有している点で、実施形態１の第１のリード端子５１と異なっている。
【０１３７】
また、第３のリード端子５３Ｃも同様に、第１のばね片５３ａの基端部Ｑ１に対向するように第３のリード端子５３Ｃを略く字状に曲成してなる第２のばね片５３ｂを有する代わりに、第１のばね片５３ａの全体（すなわち基端部Ｑ１及び先端部Ｑ２の両方）に対向するように第３のリード端子５３Ｃを略Ｓ字状に曲成してなる第２のばね片５３ｅを有している点で、実施形態１の第３のリード端子５３と異なっている。
【０１３８】
一方、成形基体５７Ｃは、第１のばね片５１ａ，５３ａの先端部Ｐ２，Ｑ２に対向するように成形基体５７に一体に突設されて第１のばね片５１ａ，５３ａとともに接続部４１の先端部４１ａを狭持するリブ５７ｇを有していない点で実施形態１の成形基体５７と異なっている。
【０１３９】
したがって、本実施形態の照光ブロックの本体５０Ｃでは、図１５に示すように、第１のリード端子５１Ｃの第１のばね片５１ａと、第１のばね片５１ａの全体に対向するように第１のリード端子５１Ｃを略Ｓ字状に曲成してなる第２のばね片５１ｄとで、電流トランスＣＴの２次巻線Ｎ２の一方の端部が電気的に接続された接続部４１が差し込み接続される被接続部５８Ｃが構成されている。
【０１４０】
同様に本体５０Ｃでは、図１４（ｂ）に示すように、第３のリード端子５３Ｃの第１のばね片５３ａと、第１のばね片５３ａの全体に対向するように第３のリード端子５３Ｃを略Ｓ字状に曲成してなる第２のばね片５３ｅとで、電流トランスＣＴの２次巻線Ｎ２の他方の端部が電気的に接続された接続部４１が差し込み接続される被接続部５９Ｃが構成されている。
【０１４１】
つまり、上記実施形態１の照光ブロック５では、第１のばね片５１ａと、リブ５７ｇと、第２のばね片５１ｂとで被接続部５８が構成されているのに対して、本実施形態の照光ブロックでは、第１のばね片５１ａと、第２のばね片５１ｄとで被接続部５８Ｃが構成されている。同様に、上記実施形態１の照光ブロック５では、第１のばね片５３ａと、リブ５７ｇと、第２のばね片５３ｂとで被接続部５９が構成されているのに対して、本実施形態の照光ブロックでは、第１のばね片５３ａと、第２のばね片５３ｅとで被接続部５９Ｃが構成されている。尚、この他の点は、上記実施形態１と同様である。
【０１４２】
したがって、本実施形態のスイッチ装置によれば、上記実施形態１と同様に、電流トランスＣＴの２次巻線Ｎ２と照光ブロック５との接続を、トランスブロック４の接続部４１を照光ブロック５の被接続部５８Ｃ，５９Ｃに差し込み接続するだけの簡単な作業で行うことができるので、スイッチ装置１の組立を容易に行えるという効果を奏する。また、図１６（ａ），（ｂ）に示す従来のスイッチ装置のように電流トランスの２次巻線と照光ブロックとを接続する際に半田付けを行う必要がなくなるから、半田付けによる悪影響（半田ボール、フラックスの飛散、焦げ、半田付け不良、半田付け時の熱による変形、半田による短絡）の防止、及び組立にかかる時間の短縮を図ることができるという効果を奏する。
【０１４３】
加えて、金属板であるリード端子５１，５３を曲成してなる第１のばね片５１ａ，５３ａ及び第２のばね片５１ｄ，５３ｄによって被接続部５８Ｃ，５９Ｃを構成しているので、合成樹脂製のリブ５７ｇを用いる場合とは異なり熱によって変形してしまうことがなくなり、これにより耐熱性を向上できるという効果を奏する。さらに、第１のばね片５１ａ，５３ａと第２のばね片５１ｄ，５３ｅとは、ともに導電性を有しているから、一方を合成樹脂成製のリブ５７ｇとする場合に比べて、接触信頼性を向上できるという効果を奏する。加えて、合成樹脂製のリブ５７ｇとは異なり、クリープが生じることがないという効果を奏する。
【図面の簡単な説明】
【０１４４】
【図１】（ａ）は、実施形態１の片切型のスイッチ装置の要部の分解斜視図であり、（ｂ）は、要部の斜視図である。
【図２】実施形態１の片切型のスイッチ装置の回路説明図である。
【図３】実施形態１の片切型のスイッチ装置の分解斜視図である。
【図４】トランスブロックの斜視図である。
【図５】（ａ）は、片切型のスイッチ装置に対応する照光ブロックの平面図であり、（ｂ）は、３路型のスイッチ装置に対応する照光ブロックの平面図である。
【図６】（ａ）は、照光ブロックの本体の平面図であり、（ｂ）は、側面図である。
【図７】照光ブロックの被接続部の概略説明図である。
【図８】実施形態１の片切型のスイッチ装置の斜視図である。
【図９】実施形態１の３路型のスイッチ装置の回路説明図である。
【図１０】実施形態１の３路型のスイッチ装置の分解斜視図である。
【図１１】実施形態１の３路型のスイッチ装置の要部の分解斜視図である。
【図１２】（ａ）は、実施形態２のスイッチ装置における照光ブロックの本体の平面図であり、（ｂ）は、側面図である。
【図１３】照光ブロックの被接続部の概略説明図である。
【図１４】（ａ）は、実施形態３のスイッチ装置における照光ブロックの本体の平面図であり、（ｂ）は、側面図である。
【図１５】照光ブロックの被接続部の概略説明図である。
【図１６】（ａ）は、従来の片切型のスイッチ装置の要部の分解斜視図であり、（ｂ）は、要部の斜視図である。
【図１７】従来の３路型のスイッチ装置の要部の分解斜視図である。
【符号の説明】
【０１４５】
４    トランスブロック
４１  接続部
５    照光ブロック
５８，５９  被接続部
Ｎ１    １次巻線
ＬＥＤ  発光ダイオード
【図１】
0004710649.tif 000002
【図２】
0004710649.tif 000003
【図３】
0004710649.tif 000004
【図４】
0004710649.tif 000005
【図５】
0004710649.tif 000006
【図６】
0004710649.tif 000007
【図７】
0004710649.tif 000008
【図８】
0004710649.tif 000009
【図９】
0004710649.tif 000010
【図１０】
0004710649.tif 000011
【図１１】
0004710649.tif 000012
【図１２】
0004710649.tif 000013
【図１３】
0004710649.tif 000014
【図１４】
0004710649.tif 000015
【図１５】
0004710649.tif 000016
【図１６】
0004710649.tif 000017
【図１７】
0004710649.tif 000018